(57)【要約】【課題】簡単な構成で小型化することができる匂い付着体を有する画像形成装置を提供する。【解決手段】画像形成装置１０は、シートに転写された現像剤をシートに定着させる定着装置３８と、この定着装置３８により現像剤が定着されたシートを排出させる排出ローラ５０と、前記定着装置３８と前記排出ローラ５０との間に設けられ、シートに匂いを付着させる匂い付着体５２とを有する。匂い付着体５２は、シートに接触する位置と接触しない位置とに動かすことができる。匂い付着体５２がシートに接触する位置にあっては、定着装置３８又は排出ローラ５０によりシートが匂い付着体に押圧するようになる。【選択図】図１
2007286197.tif 000002
【特許請求の範囲】
【請求項１】
シートに転写された現像剤をシートに定着させる定着装置と、この定着装置により現像剤が定着されたシートを排出させる排出ローラと、前記定着装置と前記排出ローラとの間に設けられ、シートに匂いを付着させる匂い付着体と、を有する画像形成装置。
【請求項２】
前記定着装置と前記排出ローラとによりシートを前記匂い付着体に押し付けるようにした請求項１記載の画像形成装置。
【請求項３】
前記匂い付着体は、匂い成分を含む弾性体を有する請求項１又は２記載の画像形成装置。
【請求項４】
前記匂い付着体は、ロール状に形成され、回転自在に支持されている請求項１乃至３いずれか記載の画像形成装置。
【請求項５】
前記匂い付着体は、通過するシートの幅と略等しい請求項１乃至４いずれか記載の画像形成装置。
【請求項６】
前記匂い付着体は、通過するシートの幅よりも小さく、且つシートの通過方向と直交する方向に移動可能である請求項１乃至４いずれか記載の画像形成装置。
【請求項７】
前記匂い付着体は、通過するシートに接触する位置と、通過するシートに接触しない位置とに移動自在である請求項１乃至６いずれか記載の画像形成装置。
【請求項８】
画像形成装置本体と、この画像形成装置本体内にあって、シートに転写された現像剤をシートに定着させる定着装置と、この定着装置により現像剤が定着されたシートを前記画像形成装置本体から排出させる排出ローラと、前記定着装置と前記排出ローラとの間に設けられ、シートに匂いを付着させる匂い付着体と、を有し、前記匂い付着体は、前記画像形成装置本体に対して着脱自在である画像形成装置。
【請求項９】
前記画像形成装置本体は、前記匂い付着体を着脱するための開閉カバーを有する請求項８記載の画像形成装置。
【請求項１０】
前記匂い付着体は、前記開閉カバーに形成された移動用窓を介して外部に臨む摘みと連結されている請求項９記載の画像形成装置。
【請求項１１】
シートに転写された現像剤をシートに定着させる定着装置と、この定着装置により現像剤が定着されたシートを排出させる排出ローラと、前記定着装置と前記排出ローラとの間に設けられ、シートに匂いを付着させる匂い付着体と、この匂い付着体を、通過するシートに接触する位置と通過するシートに接触しない位置とに動かす駆動手段とを有する画像形成装置。
【請求項１２】
通過するシートの位置を検知するシート位置検知手段と、このシート位置検知手段の出力結果に基づいて前記駆動手段を制御する制御手段とを有する請求項１１記載の画像形成装置。
【請求項１３】
シートに転写された現像剤をシートに定着させる定着装置と、この定着装置により現像剤が定着されたシートを排出させる排出ローラと、前記定着装置と前記排出ローラとの間に設けられ、通過するシートの幅よりも小さく、シートの通過方向とは直交方向に移動自在であるように支持され、シートに匂いを付着させる匂い付着体と、この匂い付着体を、通過するシートに接触する位置と通過するシートに接触しない位置とに動かす第１の駆動手段と、前記匂い付着体を通過するシートと直交方向に移動させる第２の駆動手段と、を有する画像形成装置。
【請求項１４】
シートに転写された現像剤をシートに定着させる定着装置と、この定着装置により現像剤が定着されたシートを排出させる排出ローラと、前記定着装置と前記排出ローラとの間に設けられ、シートに匂いを付着させる匂い付着体と、この匂い付着体を、通過するシートに接触する位置と通過するシートに接触しない位置とに動かす駆動手段と、シートの通過方向位置を検知するシート位置検知手段と、シートに匂いを付着すべきシートの通過方向の位置を設定する設定手段と、前記シート位置検知手段の出力結果及び前記設定手段の設定結果に基づいて前記駆動手段を制御する制御手段と、を有する画像形成システム。
【請求項１５】
シートに転写された現像剤をシートに定着させる定着装置と、この定着装置により現像剤が定着されたシートを排出させる排出ローラと、前記定着装置と前記排出ローラとの間に設けられ、通過するシートの幅よりも小さく、シートの通過方向とは直交方向に移動自在であるように支持され、シートに匂いを付着させる匂い付着体と、この匂い付着体を通過するシートに接触する位置と通過するシートに接触しない位置とに動かす第１の駆動手段と、前記匂い付着体を、通過するシートと直交方向に移動させる第２の駆動手段と、シートの通過方向位置を検知するシート位置検知手段と、シートに匂いを付着すべきシートの通過方向の位置及び通過方向とは直交する方向の位置を設定する設定手段と、前記シート位置検知手段の出力結果及び前記設定手段の設定結果に基づいて前記第１の駆動手段及び第２の駆動手段を制御する制御手段と、を有する画像形成システム。
【請求項１６】
シートに転写された現像剤をシートに定着させる定着装置とこの定着装置により現像剤が定着されたシートを排出させる排出ローラとの間に配置され、シートに匂いを付着させる画像形成装置用匂い付着体。
【発明の詳細な説明】
【技術分野】
【０００１】
本発明は、プリンタ、複写機、ファクシミリ等の画像形成装置、画像形成システム及び画像形成装置用匂い付着体に関する。
【背景技術】
【０００２】
画像形成装置は、シートに白黒又はカラーの画像を形成し、視覚をもってシートの内容を認識させるようにしたものであるが、視覚以外の感覚機能をもって認識できる機能を付加することが考えられる。
【０００３】
特許文献１においては、画像が記録された記録紙に匂いを付与し、これを持続させて使用者の快さを向上させることを目的で、画像が形成されたシートに熱を加える加熱手段の搬送方向下流側に匂い塗布手段を配設し、加熱手段により熱を加えられた後のシートに対して所定の匂いを塗布するものが開示されている（特許文献１）。
【０００４】
【特許文献１】特開２００４−２５８５５４号公報
【発明の開示】
【発明が解決しようとする課題】
【０００５】
しかしながら、上記従来例においては、匂い塗布手段は、排出ローラから排出されたシートに匂いを塗布するように構成されている。したがって、匂い塗布手段の実施形態としては、匂いを含む液体を噴射する噴射方式が採用されており、装置が複雑で大型となる。上記公報の明細書段落００４１には、匂い塗布手段として匂いが含浸されたスポンジロールを用いてもよいとする点が示されているが、いずれにしても排出ローラの下流側に匂い塗布手段を設ける構成であるためにスポンジロールを受けるプラテン等を設ける必要があり、装置が複雑で大型化するという問題点があった。
【０００６】
本発明の目的は、簡単な構成で小型化することができる匂い付着体を有する画像形成装置を提供することにある。
【課題を解決するための手段】
【０００７】
本発明の第１の特徴とするところは、シートに転写された現像剤をシートに定着させる定着装置と、この定着装置により現像剤が定着されたシートを排出させる排出ローラと、前記定着装置と前記排出ローラとの間に設けられ、シートに匂いを付着させる匂い付着体と、を有する画像形成装置にある。したがって、匂い付着体を定着装置と排出ローラとの間に設けたので、定着装置又は排出ローラを利用してシートを匂い付着体に押し付けることができ、簡単な構成となり、しかもスペースを小さくすることができる。
【０００８】
好適には、前記定着装置と前記排出ローラとによりシートを前記付着部材に押し付けるようにする。
【０００９】
また、好適には、前記匂い付着体は、匂い成分を含む弾性体を有する。
【００１０】
また、好適には、前記匂い付着体は、ロール状に形成され、回転自在に支持されている。
【００１１】
また、好適には、前記匂い付着体は、通過するシートの幅と略等しいか、あるいは通過するシートの幅よりも小さく、且つシートの通過方向と直交する方向に移動可能であるようにする。匂い付着体が通過するシートの幅と略等しい場合は、シートの全面に匂いを付着することができる。一方、匂い付着体を通過するシートの幅よりも小さく、且つシートの通過方向と直交する方向に移動可能であるようにした場合は、シートの選択された幅方向の一部に匂いを付着させることができる。
【００１２】
また、好適には、前記匂い付着体は、通過するシートに接触する位置と、通過するシートに接触しない位置とに移動自在であるようにする。通過するシートに匂い付着体を接触させたり、接触させないようにすることにより、シートそれぞれに匂いを付着させることができると共に、シートの通過方向の一部に匂いを付着させることができる。
【００１３】
本発明の第２の特徴とするところは、画像形成装置本体と、この画像形成装置本体内にあって、シートに転写された現像剤をシートに定着させる定着装置と、この定着装置により現像剤が定着されたシートを前記画像形成装置本体から排出させる排出ローラと、前記定着装置と前記排出ローラとの間に設けられ、シートに匂いを付着させる匂い付着体と、を有し、前記匂い付着体は、前記画像形成装置本体に対して着脱自在である画像形成装置にある。したがって、匂い付着体を画像形成装置本体から着脱することができるので、様々な匂いを持つ匂い付着体に交換することができ、例えばシートを招待状、ダイレクトメール、食品等の広告、料理のレシピ等のシートの種類に応じた匂いをシートに付着させることができ、シートの内容について訴求力を高めることができる。
【００１４】
好適には、前記画像形成装置本体は、前記匂い付着体を着脱するための開閉カバーを有する。この開閉カバーを介して匂い付着体を着脱することができる。
【００１５】
さらに好適には、前記匂い付着体は、前記開閉カバーに形成された移動用窓を介して外部に臨む摘みと連結されている。したがって、匂い付着体を移動するには、開閉カバーを開けることなく、外部に臨む摘みを介して行うことができる。
【００１６】
本発明の第３の特徴とするところは、シートに転写された現像剤をシートに定着させる定着装置と、この定着装置により現像剤が定着されたシートを排出させる排出ローラと、前記定着装置と前記排出ローラとの間に設けられ、シートに匂いを付着させる匂い付着体と、この匂い付着体を、通過するシートに接触する位置と通過するシートに接触しない位置とに動かす駆動手段とを有する画像形成装置にある。したがって、前記駆動手段により、匂い付着体を通過するシートに接触する位置と通過するシートに接触しない位置とに自動的に移動させることができる。
【００１７】
好適には、通過するシートの位置を検知するシート位置検知手段と、このシート位置検知手段の出力結果に基づいて前記駆動手段を制御する制御手段とをさらに有する。したがって、前記制御手段により、シートの通過方向の一部に匂いを付着させるのを自動的に行うことができる。
【００１８】
本発明の第４の特徴とするところは、シートに転写された現像剤をシートに定着させる定着装置と、この定着装置により現像剤が定着されたシートを排出させる排出ローラと、前記定着装置と前記排出ローラとの間に設けられ、通過するシートの幅よりも小さく、シートの通過方向とは直交方向に移動自在であるように支持され、シートに匂いを付着させる匂い付着体と、この匂い付着体を、通過するシートに接触する位置と通過するシートに接触しない位置とに動かす第１の駆動手段と、前記匂い付着体を通過するシートと直交方向に移動させる第２の駆動手段と、を有する画像形成装置にある。したがって、第１の駆動手段及び第２の駆動手段により、シートの通過方向及びシートの通過方向と直交する方向の一部に匂いを付着させるのを自動的に行うことができる。
【００１９】
本発明の第５の特徴とするところは、シートに転写された現像剤をシートに定着させる定着装置と、この定着装置により現像剤が定着されたシートを排出させる排出ローラと、前記定着装置と前記排出ローラとの間に設けられ、シートに匂いを付着させる匂い付着体と、この匂い付着体を、通過するシートに接触する位置と通過するシートに接触しない位置とに動かす駆動手段と、シートの通過方向位置を検知するシート位置検知手段と、シートに匂いを付着すべきシートの通過方向の位置を設定する設定手段と、前記シート位置検知手段の出力結果及び前記設定手段の設定結果に基づいて前記駆動手段を制御する制御手段と、を有する画像形成システムにある。したがって、前記制御手段により、設定手段で設定されたシートの通過方向位置に匂いを自動的に付着させることができる。
【００２０】
本発明の第６の特徴とするところは、シートに転写された現像剤をシートに定着させる定着装置と、この定着装置により現像剤が定着されたシートを排出させる排出ローラと、前記定着装置と前記排出ローラとの間に設けられ、通過するシートの幅よりも小さく、シートの通過方向とは直交方向に移動自在であるように支持され、シートに匂いを付着させる匂い付着体と、この匂い付着体を通過するシートに接触する位置と通過するシートに接触しない位置とに動かす第１の駆動手段と、前記匂い付着体を、通過するシートと直交方向に移動させる第２の駆動手段と、シートの通過方向位置を検知するシート位置検知手段と、シートに匂いを付着すべきシートの通過方向の位置及び通過方向とは直交する方向の位置を設定する設定手段と、前記シート位置検知手段の出力結果及び前記設定手段の設定結果に基づいて前記第１の駆動手段及び第２の駆動手段を制御する制御手段と、を有する画像形成システムにある。したがって、前記制御手段により、設定手段で設定されたシートの通過方向及び通過方向とは直交する方向の位置に匂いを自動的に付着させることができる。
【００２１】
本発明の第７の特徴とするところは、シートに転写された現像剤をシートに定着させる定着装置とこの定着装置により現像剤が定着されたシートを排出させる排出ローラとの間に配置され、シートに匂いを付着させる画像形成装置用匂い付着体にある。
【発明を実施するための最良の形態】
【００２２】
次に本発明の実施形態について図面に基づいて説明する。
図１乃至図６において、本発明の第１の実施形態が示されている。図１及び図２において、画像形成装置１０は画像形成装置本体１２を有し、この画像形成装置本体１２内に後述する像形成手段１４が搭載され、この画像形成装置本体１２の上部に排出部１６が設けられていると共に、この画像形成装置本体１２の下部に、例えば２段のシート供給装置１８，１８が配置されている。
【００２３】
シート供給装置１８は、例えばカセットからなるシート収納部２０と、シート収納部２０に収納された最上位のシートをピックアップするピックアップロール２２と、ピックアップロール２２によりピックアップされたシートを搬送するフィードロール２４とを有し、シート収納部２０に積層された状態で収納されているシートを像形成手段１４へと供給する。
【００２４】
像形成手段１４は電子写真方式のもので、現像剤像を担持する像担持体として用いられるドラム形状の感光体２６と、この感光体２６を一様帯電する帯電装置２８と、この帯電装置２８により帯電された感光体２６に、光により潜像を書き込む光書込み装置３０と、この光書込み装置３０により形成された感光体２６の潜像を現像剤により可視化する現像装置３２と、この現像装置３２による現像剤像を用紙に転写する例えば転写ロールからなる転写装置３４と、感光体２６に残存する現像剤をクリーニングするクリーニングブレードを備えたクリーニング装置３６と、転写装置３４により転写された用紙上の現像剤像を用紙に定着させる定着装置３８とから構成されている。光書込み装置３０は例えば走査型のレーザ露光装置からなり、後述するプロセスカートリッジ４０を横切り、感光体２６に潜像を形成する。なお、光書込み装置３０は、他の実施形態としてＬＥＤや面発光レーザ等を用いることができる。
【００２５】
画像形成手段１４を構成する部材のうち、感光体２６、帯電装置２８、現像装置３２及びクリーニング装置３６は、プロセスカートリッジ４０として一体化され交換できるようになっている。プロセスカートリッジ４０は、画像形成装置本体１２に対して着脱自在である。
【００２６】
フィードロール２４のシート搬送方向下流にはレジストロール４２が設けられ、このレジストロール４２の下流側には、前述の転写装置３６とプロセスカートリッジ４０の感光体２６とが設けられ、さらに下流側には前述の定着装置３８が設けられている。
【００２７】
定着装置３８は、加熱ロール４４と加圧ロール４６とを有し、この加熱ロール４４と加圧ロール４６とが互いに軸方向で当接してニップを形成し、このニップをシートが通過することにより、シートは熱と圧力を受け、シートに転写された現像剤がシートに定着される。
【００２８】
定着装置３８の下流側には出口シュート４８が設けられ、この出口シュート４８によりシートが排出ローラ５０に案内される。排出ローラ５０は、例えば下部の駆動ロールと上部のピンチロールとが当接して構成され、定着装置３８により現像剤が定着されたシートを前述した排出部１６へ排出させる。
【００２９】
匂い付着体５２は、定着装置３８と排出ローラ５０との間、より詳しくは出口シュート４８と排出ローラ５０との間に配置されている。この匂い付着体５２の上方で画像形成装置本体１２には開閉カバー５４が開閉自在に設けられている。匂い付着体５２は、画像形成装置本体１２に対して着脱自在であり、開閉カバー５４を開けることにより取り出すことができる。
【００３０】
図３において、匂い付着体５２の第１の具体例が示されている。匂い付着体５２は、円板状に形成された両側のフランジ部５６，５６と、該フランジ部５６，５６間に挟まれた円筒状の弾性体５８とから構成されている。この匂い付着体５２は、中心に挿入された支持軸６０に回転自在に支持されている。支持軸６０は、画像形成装置本体に固定される。弾性体５８は例えばスポンジから構成され、この弾性体５８に匂い成分が含浸されている。匂いの種類としては、香水、食べ物、化粧品、シャンプー、入浴剤、芳香剤、消臭剤等がある。種々の匂いを含む匂い付着体５２を用意しておき、シートに形成する画像に応じて匂い付着体５２を交換することができる。また、弾性体５８の長さは、通過する最大サイズのシート（例えばＡ３）の通過方向とは直交する方向の幅と略等しくなっている。したがって、通過するシートの幅方向略全部に匂いを付着させることができる。弾性体５２に付着させる匂いは一種類とは限らず、幅方向又は周方向に複数の匂い成分を含浸させることができる。
なお、匂い付着体５２と支持軸６０とを固定し、該匂い付着体５２と支持軸６０とを画像形成装置本体に回転自在に支持してもよい。
【００３１】
匂い付着体５２は、図４に示すように、シートに接触する位置（実線で示す）と、シートに接触しない位置（２点鎖線で示す）とに移動可能となっている。シートに接触する位置にあっては、シートは定着装置３８と排出ローラ５０との間で引っ張り力が作用するので、シートにより弾性体５６が押圧されて弾性変形し、弾性体５６に含浸されている匂い成分をシートに効率良く付着させることができる。シートに接触しない位置への移動は手動で行うことができる。
【００３２】
図５及び図６において、匂い付着体５２の第２の具体例が示されている。匂い付着体５２の弾性体５６は、通過するシート最小サイズのシート（例えばＢ５）の通過方向とは直交する方向の幅よりも小さく形成されている。また、弾性体５６の径は、両側のフランジ部５６，５６の径よりも大きく形成され、シートの押圧による変形を許容するようになっている。この匂い付着体５２は、支持軸５８に回転自在であり、且つ摺動自在であるように支持されている。したがって、匂い付着体５２は、支持軸５８の軸方向に移動自在であるから、シートの通過方向とは直交する方向に例えば手動により移動させることができ、匂い付着体５２を移動させることにより、匂いを付着させるべきシートの通過方向とは直交する方向の位置を選択することができる。
なお、匂い付着体５２は、１つに限らず、複数にすることができ、その場合、それぞれの匂い付着体に別々の匂い成分を含ませることができる。
【００３３】
図７乃至図９において、本発明の第２の実施形態が示されている。この第２の実施形態に係る画像形成装置１０は、開閉カバー５４に移動用窓６２がシートの通過方向とは直交する方向に長く形成され、この移動用窓６２を介して摘み６４が移動自在であるように外部に臨んでいる。摘み６４は、図８及び図９に示すように、摺動用孔６６が形成され、この摺動用孔６６を介してレール６８に摺動自在であるように支持されている。レール６４は画像形形成装置本体１２に両端が固定されている。摺動用孔６６とレール６８とは回転を阻止するため、例えば断面が方形状に形成されている。
【００３４】
また、摘み６４は、連結機構を介して匂い付着体５２に連結されている。即ち、摘み６４は、ベルト状に形成された第１の連結部材７０に固定されている。この第１の連結部材７０は、例えば４つのプーリ７２に掛けられ、このプーリ７２を介してシートの通過方向とは直交する方向に回転できるようになっている。
【００３５】
一方、匂い付着体５２は、第１の実施形態に用いた第２の具体例と同様であり、この匂い付着体５２は、同じくベルト状に形成された第２の連結部材７４に固定されている。この第２の連結部材７４は、例えば４つのプーリ７６に掛けられ、このプーリ７６を介してシートの通過方向とは直交する方向に回転できるようになっている。
なお、シートは第２の連結部材７４内を通過することにより匂い付着体５２との接触が保たれる。
【００３６】
そして、第１の連結部材７０と第２の連結部材７４とは、互いに接触して摩擦力により同方向に回転するようになっている。摘み６４と匂い付着体５２とは、シートの通過方向とは直交する方向で同じ位置にあり、且つ同じ方向に移動する。したがって、開閉カバー５４を閉じた状態にあって、摘み６４を移動させると、第１の連結部材７０と第２の連結部材７４を介して匂い付着体５２が同じ位置に移動するので、操作者は、開閉カバー５４を開けることなく、匂い付着体５２を所望の位置に移動させることができる。
なお、開閉カバー５４には移動用窓６２に沿って目盛り７８が形成され、摘み６４の位置が認識できるようになっている。
【００３７】
なお、この第２の実施形態の説明にあっては、第１の実施形態と同一部分については、図面に同一番号を付して説明を省略した。
【００３８】
図１０乃至図１５において、本発明の第３の実施形態が示されている。この第３の実施形態においては、図１０に示すように、画像形成装置１０はプリンタであり、例えばパーソナルコンピュータ８０とＬＡＮ等の通信回線８２を介して接続され、画像形成システムが構成されている。
【００３９】
パーソナルコンピュータ８０においては、図１１に示すように、シート８４に形成する対象画像８６を選択し、シートの先端から対象画像８６の上端までの距離Ｌ１及びシートの先端から対象画像８６の下端までの距離Ｌ２を設定するようになっている。距離Ｌ１，Ｌ２は、数値を入力してもよいが、画面上に表示した対象画像８６をマウス等により指定することにより自動計算してもよい。
【００４０】
画像形成装置１０は、図１２に示すように、定着装置３８と匂い付着体５２との間にシートセンサ８８が設けられている。このシートセンサ８８は、定着装置３８を通過しようとするシートの先端を検知する。また、画像形成装置１０は、図１３に示すように、匂い付着体５２の支持軸６０の両側に第１のリンク９０，９０が固定され、第１のリンク９０，９０の一つに第２のリンク９２が当接し、さらに第２のリンク９２に昇降モータ９４が連結されており、この昇降モータ９４により匂い付着体５２が上下に動かすことができるようになっている。
【００４１】
また、画像形成装置１０は、図１４に示すように、ＣＰＵ等の制御回路９６を有し、この制御回路９６にパーソナルコンピュータ８０から送出された距離Ｌ１，Ｌ２が入力される。また、制御回路９６には、シートセンサ８８からの検知信号が入力される。制御回路９６は、内部タイマ９８を有し、パーソナルコンピュータ８０で設定された距離Ｌ１，Ｌ２及びシートセンサ８８からの検知信号に基づいて昇降モータ９４を制御するようになっている。
【００４２】
図１５において、上記制御回路９６の制御フローが示されている。まずステップＳ１０において、パーソナルコンピュータ８０で設定された距離Ｌ１，Ｌ２を入力する。次のステップＳ１２においては、シートセンサ８８によりシートの先端が検知されたか否かを監視する。ステップＳ１２において、シートの先端が検知されたと判定した場合は、次のステップＳ１４に進み、距離Ｌ１に対応する時間が経過したか否かをタイマ９８により監視する。ステップＳ１４において、距離Ｌ１に対応する時間が経過したと判定した場合は次のステップＳ１６に進み、昇降モータ９４を作動させて匂い付着体５２をシートに接触する位置まで上昇させる。次のステップＳ１８においては、距離Ｌ２に対応する時間が経過したか否かをタイマ９８により監視する。ステップＳ１８において、距離Ｌ２に対応する時間が経過したと判定した場合は、次のステップＳ２０に進み、昇降モータ９４を作動させて匂い付着体５２をシートに接触しない位置まで降下させ、処理を終了する。
【００４３】
したがって、この第３の実施形態によれば、図１１に示した対象画像８６に相当する上下位置に対応する部分に匂い付着体５２が接触して匂いを対象画像８６に自動的に付着させることができる。
【００４４】
なお、この第３の実施形態の説明にあっては、第１又は第２の実施形態と同一部分については、図面に同一番号を付して説明を省略した。
【００４５】
図１６乃至図１９において、本発明の第４の実施形態が示されている。この第４の実施形態においては、画像形成装置１０は、図１６に示すように、第２の実施形態で示したいずれか１つのプーリ７２，７６に移動モータ１００を連結し、第２の連結部材７４を介して匂い付着体５２を移動できるようにしてある。また、匂い付着体５２のホームポジションを検知するホームポジションセンサ１０２が設けられている。
【００４６】
パーソナルコンピュータにおいては、図１７に示すように、距離Ｌ１，Ｌ２に加えて、シート８２の通過方向とは直交する方向の一端から対象画像８４の例えば中心までの距離Ｌ３を入力設定できる。
【００４７】
また、画像形成装置１０は、図１８に示すように、制御回路９６には、パーソナルコンピュータ８０から送出された距離Ｌ１，Ｌ２，Ｌ３が入力される。また、シートセンサ８８からの検知信号に加え、ホームポジションセンサ１０２からの検知信号が入力される。制御回路９６は、昇降モータ９４に加え、例えばステッピングモータからなる移動モータ１００を制御する。
【００４８】
図１９において、上記制御回路９６の制御フローが示されている。まずステップＳ２２において、パーソナルコンピュータ８０で設定された距離Ｌ１，Ｌ２，Ｌ３を入力する。次のステップＳ２４においては、移動モータ１００を駆動して匂い付着体５２をホームポジションから距離Ｌ３だけ移動させる。次のステップＳ２６においては、シートセンサ８８によりシートの先端が検知されたか否かを監視する。ステップＳ２６において、シートの先端が検知されたと判定した場合は、次のステップＳ２８に進み、距離Ｌ１に対応する時間が経過したか否かをタイマ９８により監視する。ステップＳ２８において、距離Ｌ１に対応する時間が経過したと判定した場合は次のステップＳ３０に進み、昇降モータ９４を作動させて匂い付着体５２をシートに接触する位置まで上昇させる。次のステップＳ３２においては、距離Ｌ２に対応する時間が経過したか否かをタイマ９８により監視する。ステップＳ３２において、距離Ｌ２に対応する時間が経過したと判定した場合は、次のステップＳ３４に進み、昇降モータ９４を作動させて匂い付着体５２をシートに接触しない位置まで降下させ、処理を終了する。
【００４９】
したがって、この第４の実施形態によれば、図１７に示した対象画像８６に相当する上下位置及び左右位置に対応する部分に匂い付着体５２が接触して匂いを対象画像８６に自動的に付着させることができる。
【００５０】
なお、この第４の実施形態の説明にあっては、第１乃至第３の実施形態と同一部分については、図面に同一番号を付して説明を省略した。
【産業上の利用可能性】
【００５１】
以上述べたように、本発明は、シートの画像に匂いを付着させる画像形成装置に利用することができる。
【図面の簡単な説明】
【００５２】
【図１】本発明の第１の実施形態に係る画像形成装置を示す側面図である。
【図２】本発明の第１の実施形態に係る画像形成装置を示す平面図である。
【図３】本発明の第１の実施形態に係る画像形成装置に用いた匂い付着体の第１の具体例を示す側面図である。
【図４】本発明の第１の実施形態に係る画像形成装置の主要部を拡大して示す側面図である。
【図５】本発明の第１の実施形態に係る画像形成装置に用いた匂い付着体の第２の具体例を示す側面図である。
【図６】本発明の第１の実施形態に係る画像形成装置に用いた匂い付着体の第２の具体例を示す斜視図である。
【図７】本発明の第２の実施形態に係る画像形成装置を示す平面図である。
【図８】本発明の第２の実施形態に係る画像形成装置に用いた匂い付着体の連結機構を示す側面図である。
【図９】本発明の第２の実施形態に係る画像形成装置に用いた匂い付着体の連結機構を示す断面図である。
【図１０】本発明の第３の実施形態に係る画像形成システムを示す構成図である。
【図１１】本発明の第３の実施形態に係る画像形成システムにおいて、匂いを付着させる対象画像の位置を設定するための説明図である。
【図１２】本発明の第３の実施形態に係る画像形成装置の主要部を拡大して示す側面図である。
【図１３】本発明の第３の実施形態に係る画像形成装置に用いた匂い付着体を昇降させるための機構を示す斜視図である。
【図１４】本発明の第３の実施形態に係る画像形成装置に用いた制御装置を示すブロック図である。
【図１５】本発明の第３の実施形態に係る画像形成装置における制御フローを示すフローチャートである。
【図１６】本発明の第４の実施形態に係る画像形成装置に用いた匂い付着体の連結機構を示す側面図である。
【図１７】本発明の第４の実施形態に係る画像形成システムにおいて、匂いを付着させる対象画像の位置を設定するための説明図である。
【図１８】本発明の第４の実施形態に係る画像形成装置に用いた制御装置を示すブロック図である。
【図１９】本発明の第４の実施形態に係る画像形成装置における制御フローを示すフローチャートである。
【符号の説明】
【００５３】
１０  画像形成装置
１２  画像形成装置本体
２６  感光体体
３８  定着装置
４８  出口シュート
５０  排出ローラ
５２  匂い付着体
５４  開閉カバー
５６  フランジ部
５８  弾性体
６０  支持軸
６２  移動用窓
６４  摘み
６６  摺動用孔
６８  レール
７０  第１の連結部材
７２  プーリ
７４  第２の連結部材
７６  プーリ
８０  パーソナルコンピュータ
８４  シート
８６  対象画像
８８  シートセンサ
９４  昇降モータ
９６  制御回路
１００  移動モータ
１０２  ホームポジションセンサ
【図１】
2007286197.tif 000003
【図２】
2007286197.tif 000004
【図３】
2007286197.tif 000005
【図４】
2007286197.tif 000006
【図５】
2007286197.tif 000007
【図６】
2007286197.tif 000008
【図７】
2007286197.tif 000009
【図８】
2007286197.tif 000010
【図９】
2007286197.tif 000011
【図１０】
2007286197.tif 000012
【図１１】
2007286197.tif 000013
【図１２】
2007286197.tif 000014
【図１３】
2007286197.tif 000015
【図１４】
2007286197.tif 000016
【図１５】
2007286197.tif 000017
【図１６】
2007286197.tif 000018
【図１７】
2007286197.tif 000019
【図１８】
2007286197.tif 000020
【図１９】
2007286197.tif 000021